(57)【特許請求の範囲】
【請求項１】
プロジェクタに備えられた投光部を開閉可能なプロジェクタ遮光装置であって、
前記投光部を遮へい可能に形成された遮へい部材と、
前記投光部が投光状態にあるときに、この遮へい部材を前記投光部の前方に位置して光源を遮断する遮断位置と前記投光部の前方を開放する開放位置との間で変位させ前記投光部を開閉可能な駆動手段と、
前記プロジェクタに取り付け可能な取付け部とを備えてなり、
前記駆動手段は、前記取付け部側に取付けられ前記遮へい部材のスライド面に沿って揺動する揺動アームと、この揺動アームの先端に取付けられたカムピンと、前記遮へい部材が前記開放位置と前記遮断位置との間を変位する動きをするように前記カムピンを案内可能なカム溝を有し前記遮へい部材に取付けられたカム部材とにより構成されていることを特徴とするプロジェクタ遮光装置
【請求項２】
プロジェクタに備えられた投光部を開閉可能なプロジェクタ遮光装置であって、
前記投光部を遮へい可能に形成された遮へい部材と、
前記投光部が投光状態にあるときに、この遮へい部材を前記投光部の前方に位置して光源を遮断する遮断位置と前記投光部の前方を開放する開放位置との間で変位させ前記投光部を開閉可能な駆動手段と、
前記プロジェクタに取り付け可能な取付け部とを備えてなり、
前記取付け部側には、前記遮へい部材が前記遮断位置・開放位置に変位したことを検出する位置検知手段が設けられているとともに、この位置検知手段は、前記遮へい部材の移動方向に沿って取付け位置を変更可能とされていることを特徴とするプロジェクタ遮光装置。
【発明の詳細な説明】
【０００１】
【発明の属する技術分野】
本発明は、プロジェクター遮光装置に関する。
【０００２】
【従来の技術】
学校の授業、あるいは企業のプレゼンテーションなど一人の説明者が多数人に対して説明を行うときには、説明者はプロジェクタによってスクリーン上に投影された画像等を差棒などによって指し示しつつ説明を行うことがある。この場合、説明者はスクリーンの傍らで説明を行う都合上、常に、プロジェクタのレンズから照射される光源に晒された状況下で眩しさに耐えつつ説明を行う必要がある。しかし、説明中には、スクリーンの画像等を参照せず説明を行う場合がある。こうした場合、説明者から「視覚を保護するため光源を遮断してほしい」という要請があり、これに対応して、従来ではプロジェクタの電源そのものを切るなどの措置が講じられていた。
【０００３】
【発明が解決しようとする課題】
しかし、プロジェクタの電源を一旦切ってしまうと、再び、プロジェクタを使用するために電源を投入してもプロジェクタの使用が可能になるには電源投入後幾らかの時間を要するため、説明の進行の妨げとなってしまうという問題があった。
本発明は上記のような事情に基づいて完成されたものであって、プロジェクタの投光部から照射される光源を遮断して説明者の視覚を保護することができるプロジェクタ遮光装置を提供することを目的とする。
【０００４】
【課題を解決するための手段】
上記の目的を達成するための手段として、請求項１の発明は、プロジェクタに備えられた投光部を開閉可能なプロジェクタ遮光装置であって、前記投光部を遮へい可能に形成された遮へい部材と、前記投光部が投光状態にあるときに、この遮へい部材を前記投光部の前方に位置して光源を遮断する遮断位置と前記投光部の前方を開放する開放位置との間で変位させ前記投光部を開閉可能な駆動手段と、前記プロジェクタに取り付け可能な取付け部とを備えてなり、前記駆動手段は、前記取付け部側に取付けられ前記遮へい部材のスライド面に沿って揺動する揺動アームと、この揺動アームの先端に取付けられたカムピンと、前記遮へい部材が前記開放位置と前記遮断位置との間を変位する動きをするように前記カムピンを案内可能なカム溝を有し前記遮へい部材に取付けられたカム部材とにより構成されているところに特徴を有する。
【０００５】
請求項２の発明は、プロジェクタに備えられた投光部を開閉可能なプロジェクタ遮光装置であって、前記投光部を遮へい可能に形成された遮へい部材と、前記投光部が投光状態にあるときに、この遮へい部材を前記投光部の前方に位置して光源を遮断する遮断位置と前記投光部の前方を開放する開放位置との間で変位させ前記投光部を開閉可能な駆動手段と、前記プロジェクタに取り付け可能な取付け部とを備えてなり、前記取付け部側には、前記遮へい部材が前記遮断位置・開放位置に変位したことを検出する位置検知手段が設けられているとともに、この位置検知手段は、前記遮へい部材の移動方向に沿って取付け位置を変更可能とされているところに特徴を有する。
【００１０】
【発明の作用及び効果】
＜請求項１の発明＞
請求項１の発明によれば、遮へい部材は、光源を遮断する遮断位置と、光源を開放する開放位置との間で変位可能となっている。そこで、必要に応じて駆動手段を駆動させて遮へい部材を遮断位置へ変位させれば投光部からの光を遮断することが出来、説明者の視覚を保護することが出来る。
【００１４】
また、請求項１の発明によれば、取付け部側に配された揺動アームを揺動させると、この揺動動作中、揺動アームのカムピンが遮へい部材側に配されたカム部材におけるカム溝内を移動する。そして、このカムピンがカム溝を移動する過程で、遮へい部材は遮断位置と開放位置との間を移動する。
【００１５】
＜請求項２の発明＞
請求項２の発明によれば、投光部の配置が異なるプロジェクタに対しても、各プロジェクタの投光部の配置位置に合わせて、位置検知手段の取付け位置を変えてやれば、各投光部の配置に対応して遮へい部材の遮断・開放位置を設定することが出来る。そのため、投光部の配置が異なるプロジェクタに対してプロジェクタ遮光装置を共用化することが出来る。
【００１６】
【発明の実施の形態】
以下、本発明の実施形態を添付図面に基づいて説明する。
＜第１実施形態＞
本発明の第１実施形態を図１ないし図５によって説明する。
【００１７】
図１は本実施形態に適用されたプロジェクタ遮光装置（以下、単に遮光装置という）１０を示すものであって、１は遮光装置が装着される液晶プロジェクタである。
液晶プロジェクタ１は略箱型をなし、その下面の四隅には支持脚５が設けられているとともに、前面壁２には投光部３及び冷却風の引き出し口４が設けられている。この投光部３は筒状をなすレンズカバー３Ａと投光レンズ３Ｂとにより構成されている。また、投光部３はこの実施例においては図１にように前面壁２の左側に偏った位置に配されている。
そして、この投光レンズ３Ｂを介して、液晶プロジェクタ１内の光源からの光がスクリーン上に拡大投影されるようになっている。
【００１８】
この液晶プロジェクタ１には、ユニット化された遮光装置１０が取り付けられるようになっており、以下その構成について説明してゆく。
遮光装置１０のうち液晶プロジェクタ１に対する取付け部１１の説明を行うと、取付け部１１は金属製の板材を曲げ加工して形成したアッパブラケット１２、ロアブラケット１３、連結ブラケット１５とからなる取付けブラケット１６と、連結プレート１８及び後述するケーシング２１とにより構成されている。
そして、取付けブラケット１６を構成するロアブラケット１３の前側には直角に曲げ起こされた前壁１３Ａが形成されており、そこにＬ字型をなす前記連結プレート１８が取付けられている。この連結プレート１８は液晶プロジェクタ１の幅方向に沿った長辺状に形成され、そこにケーシング２１が取り付け可能となっている。
【００１９】
本実施形態では、液晶プロジェクタ１は天井から吊り下げて使用されるようになっている。前記取付け部１１におけるアッパブラケット１２の上側基板部１２Ａ及びロアブラケット１３の下側基板１３Ｂが、夫々、天井及び液晶プロジェクタ１に対する取付け面となっており、図示しない取付け手段によって取付けがなされる。図４上では、この取付け部１１を液晶プロジェクタ１の上面側に取り付ける形態としたが、下面側に取り付けるようにしてもよい。
尚、既存の液晶プロジェクタ１における上面及び下面には、通常、吊り下げ用の取付け部位が装着されている。
【００２０】
さて、遮光装置１０は、以下に説明を行うケーシング２１、投光レンズ３Ｂを覆う遮へい板（遮へい部材）３５、遮へい板３５をスライド変位させる駆動手段及び前記駆動手段を制御する制御部を有している。
ケーシング２１は、下向きに開口するようなコの字をなして形成された枠材２２と、枠材２２の前側（図１における手前側）に取付け金具２６を介して装着される透明な樹脂板２７とにより構成されている。前記枠材２２における上面部２３には前記した連結プレート１８に対する取付け孔２３Ｂが３カ所設けてあり、各取付け孔２３Ｂは液晶プロジェクタ１の奥行き方向に対する長孔となっており、遮光装置１０全体を液晶プロジェクタ１に対して奥行き方向で位置調整が出来るようになっている。
そして、ケーシング２１の内側には前記したスライド手段、遮へい板３５、駆動手段が組み込まれている。
【００２１】
まず、スライド手段について説明をする。スライド手段は、互いに摺動可能な一対の固定レール３０、可動レール３２及び両レール３０、３２の間に挿入される摺動用のボール３１によって構成されており、固定レール３０を介して枠材２２に取付けられている。具体的には、図４に示すように、前記した枠材２２の上面部２３の前縁にはＬ字状をなす前側壁２５が折り曲げ形成されている。そこに、上面部２３の全幅とほぼ等しい幅寸法に形成された固定レール３０が上面部２３の長さ方向に沿って取付けられている。一方、可動レール３２は後述する遮へい板３５の幅寸法と同じ幅寸法で形成され、固定レール３０の内側に上下にボール３１を介在して摺動可能に嵌め込まれている。これにより、可動レール３２が枠材２２の上面部２３に沿って水平にスライドする。
【００２２】
そして、この可動レール３２の側面には第２連結プレート３３が取付けられており、更に、第２連結プレート３３の下端側には矩形をなし投光レンズ３Ｂを覆う大きさに形成された金属製の遮へい板３５が取付けられている。従って、可動レール３２のスライド動作に伴って、遮へい板３５もスライドするようになっている。
【００２３】
次に駆動手段について説明する。駆動手段は、ラック４０と、ピニオンギヤ４１、及び電動モータ４２により構成されている。
電動モータ４２は前記上面部２３の下面であってその横幅方向の中央部に第３連結プレート４３を介して水平姿勢で取付けられる。そして、モータ軸は第３連結プレート４３を貫通して前方に突出しており、その軸端には前記ピニオンギヤ４１が取付けられている。一方、前記第２連結プレート３３の上端側には、ラック４０が可動レール３２と平行に取付けられており、前記ピニオンギヤ４１と噛み合っている。
【００２４】
また、前記遮へい板３５は、常には、液晶プロジェクタ１の前面壁２の残余部分に位置しており、これが開放位置（図２に示す位置であって、遮へい板３５が投光レンズ３Ｂの前方より退避している）となっている。そして、電動モータ４２の駆動に伴って、遮へい板３５は前記した開放位置から遮断位置（図５に示す位置であって、遮へい板３５が投光レンズ３Ｂの前方に位置）に移動するようになっている。
【００２５】
上記したように、遮へい板３５は開放姿勢と遮断姿勢の間を変位するが、遮光装置１０には、この移動動作完了を検出して電動モータ４２の作動を自動停止させる図示しない制御部が組み込まれており、次に説明する検知センサー５０からの検出信号に基づいて電動モータ４２の駆動制御を行う。
そして、枠材２２における上面部２３の下面側であってその左右両端位置には、上下に検知部５１を設けた検知センサー５０（位置検知手段）が設けられる一方、遮へい板３５における第２連結プレート３３の幅方向の両端には金属製の検知棒５２が突出している。この検知棒５２は、遮へい板３５が遮断位置あるいは開閉位置に移動した時には、両検知部５１間に移動するようになっており、これにて、前記した制御部に対し検出信号が送られるようになっている。
以下、図２における右側の検知センサーを５０Ａ、左側の検知センサーを５０Ｂとし、右側の検知棒を５２Ａとし、左側の検知棒を５２Ｂとする。
【００２６】
また、これら検知センサー５０Ａ、５０Ｂは枠材２２の上面部２３に対しその取付け位置を調節出来るようになっている。具体的には、検知センサー５０Ａ、５０Ｂは枠材２２の上面部２３に対し取付けブラケット５６Ａ、５６Ｂを介して装着される（図３参照）。そして、この取付けブラケット５６Ａ、５６Ｂと上面部２３とはねじ止めにより固定されるが、上面部２３側のねじ孔は上面部２３の横幅方向に沿った長孔２３Ａとなっている。これにより、投光レンズ３Ｂの配置位置が各液晶プロジェクタ１毎で異なる場合に対応して、開放位置と遮断位置の設定を調整すべく、検知センサー５０Ａ、５０Ｂの取付け位置を変えることが出来るようになっている。
【００２７】
そして、遮光装置１０における枠材２２の側壁２４には、冷却ファン５８が設けられており、液晶プロジェクタ１を冷却するようになっている。これは、本実施形態において、液晶プロジェクタ１の冷却風の引き出し口４を遮光装置１０が塞いでいるため、液晶プロジェクタ１側の冷却ファン（図示せず）に加え、あえて遮光装置１０側にも設けたものである。従って、冷却風の引き出し口４が前面壁２以外の他の部位に設定され遮光装置１０が塞がない状況になったときには省略することが出来る性質のものである。
尚、この実施例においては、電動モータ４２に対する作動の開始・停止及び液晶プロジェクタ１の動作は図示しないリモコン装置で行われる。
【００２８】
次に、上記のように構成された本実施形態の作用効果について説明する。
開放位置にある遮へい板３５を遮断位置へ移行させる動作について説明する。
まず、遮光装置１０が装着されている状態では、液晶プロジェクタ１の前面壁２は遮光装置１０により覆われており、投光レンズ３Ｂの対向位置には透明な樹脂板２７が位置している。
そして、図２に示す、開放位置では遮へい板３５は投光レンズ３Ｂから退避した位置にありその前方を開放している。そのため、光源を遮ることなくスクリーン上に画像等を投影することが出来る。
【００２９】
そして、この状態から遮光装置１０の駆動源である電動モータ４２のスイッチをリモコンにより投入し、電動モータ４２を駆動させると、これに伴ってピ二オンギヤ４１が緩速回転する。そして、ピニオンギヤ４１の緩速回転に伴って、これに噛み合うラック４０が水平方向に移動する。そのため、ラック４０と接続された可動レール３２が水平方向に移動してゆき、これにて、遮へい板３５が開放位置から遮断位置に向けて移動する。
【００３０】
そして、遮へい板３５が遮断位置まで変位すると、図５に示すように、第２連結プレート３３の左端部に取付けられた検知棒５２Ｂが、枠材２２の上面部２３の左側に取付けられた検知センサー５０Ｂの検知部５１間に進入して検知センサー５０Ｂが作動する。そして、この検知センサー５０Ｂからの検出信号に基づいて制御部が電動モータ４２に対して停止信号を送り、これにて電動モータ４２が停止して遮へい板３５を遮断位置に止める。この遮断姿勢では、遮へい板３５は投光レンズ３Ｂの前方に位置しており、光源を遮断することが出来る。
【００３１】
従って、説明者がスクリーン上の画像を参照せず説明を行う場合には、遮光装置１０によって、液晶プロジェクタ１の光源を遮断してやれば、説明者が常に光源に晒されて説明を行うといった状況を回避することができ、説明者の視覚を保護することが出来る。
逆に、遮断位置から開放位置に復帰する際には、再びリモコン装置によって、電動モータ４２を作動させれば、遮へい板３５が投光レンズ３Ｂの前方より退避してゆく。そして、遮へい板３５が開放位置まで変位すると、図２に示すように、第２連結プレート３３の右端部に取付けられた検知棒５２Ａが、枠材２２の上面部２３の右側に取付けられた検知センサー５０Ａの検知部５１間に進入して検知センサー５０Ａが作動する。これにより、制御部からの停止信号によって、電動モータ４２が停止して遮へい板３５を開放位置に止める。そして、この開放位置では、前述したように、遮へ板３５は投光レンズ３Ｂの前方から退避しており光源を開放するようになっている。そのため、すぐに液晶プロジェクタ１の使用が出来、説明の進行を妨げることがない。
【００３２】
そして、これら遮光装置１０は取付け部１１側に取付けられてユニット化されているため、液晶プロジェクタ１に対しては、このユニット化された遮光装置１０を装着するだけで取付けが完了するようになっており、取付け作業性に優れる。また、ユニット化が図られていることにより、既存のプロジェクタに対しても使用することが出来る。
また、遮へい板３５は液晶プロジェクタ１の投光部３が設けられた側面の残余部分に開放位置が設定されており、この位置で待機している。そのため、遮へい板３５が液晶プロジェクタ１の外形に対し不必要に飛び出すことがなく、小型化が図れる。
【００３３】
そして、検知センサー５０Ａ、５０Ｂは枠材２２の上面部２３において遮へい板３５の移動方向にその取付け位置を調節出来るようになっている。そのため投光部３の配置が異なる液晶プロジェクタ１に対しても、各液晶プロジェクタ１の投光部３の配置位置に合わせて、検知センサー５０Ａ、５０Ｂの取付け位置を変えてやれば、各投光部３の配置に対応して遮へい板３５の遮断・開放位置を設定することが出来る。
そのため、投光部３の配置が異なる液晶プロジェクタ１に対して遮光装置１０を共用化することが出来る。
【００３４】
また、本実施形態では、枠材２２の上面部２３には液晶プロジェクタ１の奥行き方向に長孔となっている取付け孔２３Ｂが設けられており、ケーシング２１の取付け位置を液晶プロジェクタ１の前後方向にも移動することが出来るようになっている。従って、異種の液晶プロジェクタ（前面壁２から投光部３の突出量が異なるもの）に対する取付けに好都合である。
【００３５】
＜第２実施形態＞
次に、本発明の第２実施形態を図６ないし図８によって説明する。
第１実施形態では遮へい板３５を駆動させる駆動形式をラック４０とピ二オンギヤ４１により構成したが、第２実施形態ではカム機構により構成している。
【００３６】
まず、遮へい板３５は、第１実施形態と同様に第２連結プレート３３を介して可動レール３２に接続されており、固定レール３０に沿ってスライド可能となっている。そして、第２実施形態では、この遮へい板３５の側縁には板状をなすカムプレート６３が設けられており、その側面には上下に伸びるカム溝６４が設けられている。一方、電動モータ６５は、第１実施形態と同様に枠材２２の上面部２３に対し第３連結プレート４３を介して取付けられるが、その取付け位置は図６に示すように左端寄りの位置となっている。そして、電動モータ６５の軸端には揺動アーム６１が揺動可能に取付けられている。この揺動アーム６１の先端側にはカムピン６２が溶着されており、このカムピン６２は前記カム溝６４内を移動可能に貫通されている。
【００３７】
そして、電動モータ６５の駆動に伴って、揺動アーム６１が揺動するとカムピン６２がカム溝６４に沿って上下に移動することで、カムプレート６３、ひいては、遮へい板３５全体が水平移動するようになっており、開放姿勢（図６参照）と遮断姿勢（図７参照）との間で変位可能となっている。
その他の構成については、上記第１実施形態と同じであるため、同じ構成については、同一符号を付し、構造、作用、及び効果の説明は省略する。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
（１）第１実施形態では、電動モータ４２をケーシング２１側に取付け、ラック４０を遮へい板３５側に取付けたが（モータ固定式）、電動モータ４２を遮へい板３５側に取付け、ラック４０をケーシング２１側に取付けてもよい（モータ可動式）。
【００４０】
（２）第１・２実施形態では、遮へい板３５の遮断位置と開放位置を検出する検知センサーを電磁式のものを用いたが、光学式、機械式のものを用いてもよい。
【００４１】
（３）第１実施形態では、液晶プロジェクタ１は取付け部１１を介し天井から吊して使用したが、机の上などに置いて使用してもよくこの場合には取付け部１１を更に小型化出来る。
【００４２】
（４）第１・２実施形態では、液晶プロジェクタ１を使用したが、特に液晶である必要なく、遮光装置１０の装着が可能であれば如何なるプロジェクタにも使用出来る。
【図面の簡単な説明】
【図１】本発明の第１実施形態に係るプロジェクタ遮光装置及び液晶プロジェクタの斜視図
【図２】プロジェクタ遮光装置の一部切り欠き正面図（開放位置を示す）
【図３】プロジェクタ遮光装置の一部切り欠き平面図
【図４】図２中のＡ−Ａ線断面図
【図５】プロジェクタ遮光装置の一部切り欠き正面図（遮断位置を示す）
【図６】本発明の第２実施形態に係るプロジェクタ遮光装置の一部切り欠き正面図（開放位置を示す）
【図７】プロジェクタ遮光装置の一部切り欠き正面図（遮断位置を示す）
【図８】図６中のＢ−Ｂ線断面図
【符号の説明】
１…液晶プロジェクタ（プロジェクタ）
３…投光部
３Ｂ…投光レンズ
１０…遮光装置
１１…取付け部
２１…ケーシング
３５…遮へい板（遮へい部材）
４０…ラック
４１…ピニオンギヤ
５０…検知センサー（位置検知手段）
６１…揺動アーム
６２…カムピン
６３…カムプレート（カム部材）
６４…カム溝
【図１】
0003585876.tif 000002
【図２】
0003585876.tif 000003
【図３】
0003585876.tif 000004
【図４】
0003585876.tif 000005
【図５】
0003585876.tif 000006
【図６】
0003585876.tif 000007
【図７】
0003585876.tif 000008
【図８】
0003585876.tif 000009